(57)【要約】【課題】電源などの動力源なしで着座部の堅さを調節することができ、どの堅さにおいても優れた座り心地を確保することができ、底付き感が生じることもないソファーを提供する。【解決手段】ソファー１は着座部１ａと背凭れ部１ｂとで構成された側面視形状が略Ｌ字形状のソファーである。着座部１ａは、箱枠２に着脱可能に固定されたクッション材３と、クッション材３の下面に形成された凹部３ａに内蔵されその下面の一部を下方から上方へ押圧する複数のコイルスプリング４と、これらのコイルスプリング４の下部を支える傾動可能な支持部材５と、支持部材５とクッション材３との間隔を変更するためのリンク機構６およびねじ部材７などを備えている。【選択図】        図１
2004236830.tif 000002
【特許請求の範囲】
【請求項１】
着座部に固定されたクッション材の少なくとも一部をその下方から上方へ押圧する弾性体と、前記弾性体の下部を支える傾動可能な支持部材と、前記クッション材と前記支持部材との間隔を変更する堅さ調節手段とを備えたことを特徴とするソファー。
【請求項２】
前記支持部材が前記着座部の左右方向の支軸を中心にシーソー状に傾動可能である請求項１記載のソファー。
【請求項３】
前記支持部材の少なくとも一部を、前記弾性体の伸縮方向に変形自在な弾性部材で形成した請求項１または２記載のソファー。
【請求項４】
前記弾性部材が、伸縮性を有するネット体またはシート体である請求項３記載のソファー。
【請求項５】
前記堅さ調節手段として、ねじ部材の回動により前記支持部材を前記クッションに対して接近離隔させるリンク機構を設けた請求項１記載のソファー。
【請求項６】
前記堅さ調節手段により前記支持部材を前記クッション材に接近させると、これに伴って前記支持部材が前記着座部の後方へ変位する連動機構を設けた請求項５記載のソファー。
【発明の詳細な説明】
【０００１】
【発明の属する技術分野】
本発明は、一般住宅の居間などに配置して使用されるソファーに関する。
【０００２】
【従来の技術】
一般住宅の居間などに配置して使用されるソファーは、腰を下ろしたときに臀部および大腿部などを支える着座部と、背中部分を支える背凭れ部などで構成され、座り心地を良くするため、着座部などにはクッション材が内蔵されている。ソファーの座り心地を左右する着座部の堅さは内蔵されたクッション材の材質、形状などでほぼ一義的に決まるため、ソファー購入後、その使用者が着座部の堅さを自由に変更することはできない。
【０００３】
また、従来のソファーに使用されているウレタンフォーム製のクッション材などは、長期間使用するうちに材質が徐々に劣化して堅さが低下していくため、クッション材の取り替えなどを行わない限り、購入時の座り心地を回復することができない。
【０００４】
一方、自動車の座席などに用いられるシートクッション装置においては、使用者の好み、使用環境などに合わせてシートの堅さを調節することのできるものが開発されている（例えば、特許文献１参照。）。
【０００５】
このシートクッション装置は、クッションパッドをクッションフレームにより支持して成るものである。クッションパッドの下面側にはクッションプレートが配設され、クッションプレートとクッションパッドとの間にはこれらに付勢力を与えるコイルスプリング群が配置され、クッションプレートを下方から支持しつつモータの駆動力で上下方向に変位させる駆動機構などが設けられている。そして、クッションプレートを上下方向に変位させることにより、コイルスプリング群を介してクッションパッドの下面側に加える押圧力を調節して、クッションパッドの堅さを調節するようにしたものである。
【０００６】
【特許文献１】
特開平０５−１７６８２４号公報（第２−３頁、第１図）
【０００７】
【発明が解決しようとする課題】
特許文献１に記載されたシートクッション装置の場合、コイルスプリングの下部を支えるクッションプレートは、荷重が偏って加わったときに傾斜することがないように４つの駆動機構によって強固に支持された構造である。このため、振動及び揺動する車内で着座者の姿勢を一定に保持することを主目的とする自動車の座席としては好都合であるが、静止した室内において使用され、人間が寛いだ姿勢で腰掛けることが多く、着座部に加わる荷重も不均一となりがちなソファーの着座部には不向きな構造であり、良好な座り心地が得られない。
【０００８】
また、前記クッションプレートは、上下方向に移動する際も一定姿勢で平行移動してクッションパッドの下面側に加える押圧力を変更するものである。このため、クッションプレートを上昇させクッションパッドを堅くすると、クッションパッドの座面とクッションプレートとの距離が全面的に小さくなり、クッションパッドの収縮可能量も全面的に小さくなる結果、着座したときに、いわゆる底付き感が生じ、座り心地が悪くなる。なお、底付き感とは、人間が腰掛けたときに、ソファーから弾力的な反発が感じられなくなる状態をいう。
【０００９】
また、複数の駆動機構を均一に伸縮動作させるためにモータなどの動力が必要であるため、電源設備のない場所では使用できない。さらに、モータなどを装備することにより重量が比較的大きくなりがちであるため、人間の力で簡単に移動することができず、家庭内での使用には不向きである。
【００１０】
本発明が解決しようとする課題は、電源などの動力源なしで着座部の堅さを調節することができ、どの堅さにおいても優れた座り心地を確保することができ、底付き感が生じることもないソファーを提供することにある。
【００１１】
【課題を解決するための手段】
本発明のソファーは、着座部に固定されたクッション材の少なくとも一部をその下方から上方へ押圧する弾性体と、弾性体の下部を支える傾動可能な支持部材と、クッション材と支持部材との間隔を変更する堅さ調節手段とを備えたことを特徴とする。
【００１２】
このような構成において、堅さ調節手段を用いて支持部材とクッション材との間隔を変更すればクッション材に対する弾性体の押圧力が変化してクッション材の堅さが変化するため、電源などの動力源なしで着座部の堅さを調節することが可能となる。また、弾性体の下部を支える支持部材は傾動可能であるため、着座したときに加わる圧力分布に応じて傾斜することができ、どの堅さにおいても優れた座り心地を確保することができる。また、支持部材において大きな圧力が加わる部分は大きく下方へ傾斜するため、底付き感が生じることもなくなる。
【００１３】
なお、前記クッション材としては、硬質発泡ポリウレタンあるいはパームロック（カールさせた椰子の実の繊維に天然ラテックスを化学的に結合させた自然素材）などが好適であり、前記弾性体としては、コイルスプリングなどが好適である。
【００１４】
ここで、前記支持部材を、着座部の左右方向の支軸を中心にシーソー状に傾動可能とすれば、人間が着座した状態において最も体重移動が生じやすい前後方向に支持部材が傾動することとなるため、優れた座り心地を確保しつつ、安定感を得ることができる。
【００１５】
また、前記支持部材の少なくとも一部を、弾性体の伸縮方向に変形自在な弾性部材で形成することにより、この弾性部材の部分では、弾性体の弾力性に弾性部材の弾力性が付加され、弾性変形のストロークが増大する。このため、奥行きのある弾力性が得られ、底付き感が発生することがなくなる。
【００１６】
この場合、前記弾性部材として、伸縮性を有するネット体またはシート体を用いれば、弾性体に加わる圧力をネット体などの面方向に分散しながら受けることができるので、座り心地がさらに向上するだけでなく、通気性も確保することができる。なお、伸縮性を有するネット体としては塩ビコーティングした合成樹脂製ネット、ゴムベルトあるいは布ベルトなどが好適である。
【００１７】
一方、前記堅さ調節手段として、ねじ部材を回動させることによりクッション材に対して支持部材を接近離隔させるリンク機構を設けることにより、ねじ部材を回動させるという極めて簡単な操作で、着座部の堅さを調節することが可能となるので便利である。
【００１８】
また、前記堅さ調節手段により支持部材とクッション材との間隔を縮小させると、これに伴って前記支持部材が着座部の後方へ変位する連動機構を設けることが望ましい。このような連動機構を設ければ、着座部の堅さを高めたとき、座面前部の上昇を回避しながら、体重が大きく加わる座面後部の堅さを優先的に高めることができるので、着座者の足部の浮き上がりを防止しつつ、安定感を向上させることができる。
【００１９】
【発明の実施の形態】
図１は本発明の実施の形態であるソファーを示す一部切欠側面図であり、図２は図１に示すソファーの一部拡大図であり、図３は図１に示すソファーの着座部の一部省略分解斜視図であり、図４は図１に示すソファーを構成する支持部材およびリンク機構などを示す斜視図である。
【００２０】
図１，図２に示すように、本実施形態のソファー１は着座部１ａと背凭れ部１ｂとで構成された側面視形状が略Ｌ字形状のソファーである。着座部１ａは、箱枠２に着脱可能に固定されたクッション材３と、クッション材３の下面に形成された凹部３ａに内蔵されその下面の一部を下方から上方へ押圧する弾性体である複数のコイルスプリング４と、これらのコイルスプリング４の下部を支える傾動可能な支持部材５と、支持部材５とクッション材３との間隔を変更する堅さ調節手段を構成するリンク機構６およびねじ部材７などを備えている。
【００２１】
クッション材３は、座面３ｃを形成する高比重のラバータッチフォーム３ｘと、その下面側に配置されたチップウレタン（高硬度フォーム）３ｙと、ラバータッチフォーム３ｘの前縁下部に配置されたウレタンフォーム３ｚなどで構成されている。コイルスプリング４は、その中央部分が括れた鼓形状であって、つづみばねとも呼ばれる弾性体である。
【００２２】
図３に示すように、複数のコイルスプリング４は、それぞれ起立姿勢で縦横に配列し、これらを伸縮性のあるネット製の袋材１７に袋詰めした状態で、クッション材３の下面の凹部３ａ内に収容されている。各コイルスプリング４の上端部は凹部３ａの天井面３ｂを押圧し、各コイルスプリング４の下端部は、支持部材５を構成する四角形の枠状体５ａの直上にあるものを除き、枠状体５ａに張設された弾性ネット体５ｂによって保持されている。なお、ソファー１の前後方向に並ぶコイルスプリング４はバネ材（図示せず）によって連結されており、ソファー１の左右方向に並ぶコイルスプリング４は袋材１７に設けられた縫い目（図示せず）によって区画されている。このため、着座部１ａに加わる荷重などによってコイルスプリング４が傾斜したり、水平方向へ勝手に移動したりすることはない。
【００２３】
一方、図４に示すように、支持部材５はその前後方向の中央付近が、リンク機構６を構成するリンク部材６ａ，６ｂの関節部６ｃに設けられた支軸６ｄに回動自在に軸支されている。この支軸６ｄは着座部１ａの左右方向に配置されているため、支持部材５は支軸６ｄを中心に前後方向にシーソー状に傾動可能である。
【００２４】
リンク部材６ｂの下端部は、箱枠２に略水平に固定された支持フレーム８の後端部の支軸９に回動自在に軸支されている。リンク部材６ａの下端部は、着座部１ａの左右方向に配置され支持フレーム８に沿って前後方向にスライド自在な水平支軸１３に回動自在に軸支されている。この水平支軸１３の中央部に連結管１４が回動自在に環装され、ねじ部材７を構成する雌ねじ体７ｂの後端部が連結管１４の中央部に固着されている。
【００２５】
ねじ部材７は、雌ねじ体７ｂと、これに螺合された雄ねじ体７ａとで構成されている。雄ねじ体７ａは、支持フレーム８の前端部に固定された軸受け１０に回動自在に保持され、雄ねじ体７ａの前端部には調節ノブ１１が取付けられている。軸受け１０の背面には、雄ねじ体７ａと同軸上スラストベアリング１６が取付けられている。
【００２６】
図１〜図４に示す矢線１２方向から見て、調節ノブ１１を時計方向に回転させると、固定状態にある雌ねじ体７ｂの内部で雄ねじ体７ａのみが回転し、雌ねじ体７ｂが着座部１ａの後方へ移動する。これにより、連結管１４および水平支軸１３を介してリンク部材６ａの下端部が後方へ移動し、リンク機構６の関節部６ｃが上昇して支持部材５を上昇させるため、支持部材５とクッション材３との間隔が減少する。このとき、コイルスプリング４が収縮して、クッション材３をその下面３ｂから座面３ｃ方向へ強く押圧することとなるので、クッション材３の堅さが増大する。
【００２７】
一方、矢線１２方向から見て、調節ノブ１１を反時計方向に回転させると雌ねじ体７ｂが着座部１ａの前方へ移動し、連結管１４および水平支軸１３を介してリンク部材６ａの下端部が前方へ移動してリンク機構６の関節部６ｃが下降し、支持部材５も下降するので、支持部材５とクッション材３との間隔が増大する。これにより、コイルスプリング４は伸長し、クッション材３に対する押圧力が減少するため、クッション材３の堅さが減少する。
【００２８】
このように、調節ノブ１１を回転させることにより、支持部材５とクッション材３との間隔を変更すれば、これに伴ってクッション材３に対するコイルスプリング４の押圧力が変化してクッション材３の堅さが変化するため、電源などの動力源なしで着座部１ａの堅さを調節することができる。
【００２９】
また、クッション材３の自重およびコイルスプリング４の伸展力などによりリンク機構６などを介して雄ねじ体７ａに伝わる矢線１８方向の力（図４参照）は軸受け１０の背面のスラストベアリング１６で受ける構造となっている。このため、矢線１８方向の力によって調節ノブ１１の回転操作に支障が生じることもない。
【００３０】
また、コイルスプリング４の下端部を支える支持部材５は支軸６ｄを中心にシーソー状に傾動可能である。このため、着座部１ａに腰掛けたときに加わる圧力分布に応じて傾斜することができ、どの堅さにおいても優れた座り心地を確保することができる。また、支持部材５において、大きな圧力が加わる部分は大きく下方へ傾斜するため、いわゆる底付き感が生じることもない。
【００３１】
さらに、支持部材５は、着座部１ａの左右方向の支軸６ｄのみを中心にシーソー状に傾動可能である。これにより、人間がソファー１に着座した状態において最も体重移動が生じやすい方向のみに支持部材５が傾動することとなるため、優れた座り心地を確保しつつ、安定感も得ることができる。
【００３２】
また、各コイルスプリング４の下端部は、支持部材５の構成する枠状体５ａの直上にあるものを除き、枠状体５ａに張設した弾性ネット体５ｂによって保持されている。このため、弾性ネット体５ｂの部分においては、コイルスプリング４の弾力性に弾性ネット５ｂの弾力性が付加され、弾性変形のストロークが増大する結果、座面３ｃの中央付近を含む広い範囲において、奥行きのある弾力性が得られ、底付き感が発生することがない。
【００３３】
ソファー１においては、着座部１ａの堅さ調節手段として、雌ねじ体７ｂを回動させクッション材３に対して支持部材５を接近離隔させるリンク機構６を設けている。したがって、調節ノブ１１を介して雌ねじ体７ｂを回動させるという極めて簡単な操作で、着座部１ａの堅さを調節することができ、便利である。
【００３４】
また、ソファー１においては、調節ノブ１１を回転させて支持部材５とクッション材３との距離を縮小させると、図１に示すように、これに伴って支持部材５が着座部１ａの後方へ所定距離１５だけ変位する連動機構を設けている。これにより、着座部１ａの堅さを高めたとき、座面３ｃ前部の上昇を回避しながら、体重が大きく加わる座面３ｃ後部の堅さを優先的に高めることができるので、着座者の足部の浮き上がりを防止しつつ、安定感を向上させることができる。
【００３５】
ソファー１のその他の機能や外観などは一般のソファーと同様であり、着座部１ａに臀部および大腿部を載せ、背凭れ部３に背中を当接させるという使い方も従来のソファーと同じであるため、従来と同様、一般住宅の居間などにおいて違和感なく使用することができる。
【００３６】
【発明の効果】
本発明により、以下に示す効果を奏する。
【００３７】
（１）着座部に固定されたクッション材の少なくとも一部をその下方から上方へ押圧する弾性体と、弾性体の下部を支える傾動可能な支持部材と、クッション材と支持部材との間隔を変更する堅さ調節手段とを備えたことにより、電源などの動力源なしで着座部の堅さを調節することが可能となり、どの堅さにおいても優れた座り心地を確保することができ、底付き感が生じることもない。
【００３８】
（２）前記支持部材を、着座部の左右方向の支軸を中心にシーソー状に傾動可能とすれば、人間が着座した状態において最も体重移動が生じやすい前後方向に支持部材が傾動することとなるため、優れた座り心地を確保しつつ、安定感を得ることができる。
【００３９】
（３）前記支持部材の少なくとも一部を、弾性体の伸縮方向に変形自在な弾性部材で形成することにより、弾性体の弾力性に弾性部材の弾力性が付加され、弾性変形のストロークが増大するため、奥行きのある弾力性が得られ、底付き感が発生することがなくなる。
【００４０】
（４）前記弾性部材として、伸縮性を有するネット体またはシート体を用いれば、弾性体に加わる圧力をネット体などの面方向に分散しながら受けることができるので、座り心地がさらに向上し、通気性も確保することができる。
【００４１】
（５）前記堅さ調節手段として、ねじ部材を回動させることによりクッション材に対して支持部材を接近離隔させるリンク機構を設けることにより、ねじ部材を回動させるという極めて簡単な操作で、着座部の堅さを調節することが可能となるので便利である。
【００４２】
（６）前記堅さ調節手段により支持部材とクッション材との間隔を縮小させると、これに伴って支持部材が着座部の後方へ変位する連動機構を設けることにより、着座部の堅さを高めたとき、着座者の足部の浮き上がりを防止しつつ、安定感を向上させることができる。
【図面の簡単な説明】
【図１】本発明の実施の形態であるソファーを示す一部切欠側面図である。
【図２】図１に示すソファーの一部拡大図である。
【図３】図１に示すソファーの着座部の一部省略分解斜視図である。
【図４】図１に示すソファーを構成する支持部材およびリンク機構などを示す斜視図である。
【符号の説明】
１  ソファー
１ａ  着座部
１ｂ  背凭れ部
２  箱枠
３  クッション材
３ａ  凹部
３ｂ  天井面
３ｃ  座面
３ｘ  ラバータッチフォーム
３ｙ  チップウレタン（高硬度フォーム）
３ｚ  ウレタンフォーム
４  コイルスプリング
５  支持部材
５ａ  枠状体
５ｂ  弾性ネット
６  リンク機構
６ａ，６ｂ  リンク部材
６ｃ  関節部
６ｄ，９  支軸
７  ねじ部材
７ａ  雄ねじ体
７ｂ  雌ねじ体
８  支持フレーム
１０  軸受け
１１  調節ノブ
１２，１８  矢線
１３  水平支軸
１４  連結管
１５  所定距離
１６  スラストベアリング
１７  袋材
【図１】
2004236830.tif 000003
【図２】
2004236830.tif 000004
【図３】
2004236830.tif 000005
【図４】
2004236830.tif 000006